(57)【要約】      （修正有）【課題】高所作業中に、落下宙吊になっても苦痛が少なく常に頭部が上向きに楽な姿勢で宙吊りになり、短波発信機、赤色警告灯等の装置が作動し自動的に、地上の監視員、現場事務所の担当者が所持する、短波受信機が受信早期に救出する事が出来る、多機能安全ベルトの提供。【解決手段】肩の部分より反対側の脇の下に回して装着する１本の主ベルト１に、補助ベルト３を肩先より脇の下を回し、フック４で止め主ベルトの肩先部分の金具２に取り付けた。釣り下がりロ−プの肩の部分に交換可能なゴムロ−プ６を使用、其の先に従来のロープ７を使用し、先端に吊り鉤フック５を設置した。落下事故により吊りさがった場合、ゴムロ−プに設置した紐が、ゴムの伸張により、主ベルトに装着した、電池容器内の、短波発信機の通電遮断棒が抜け自動的に短波を発信し、地上の監視員が所持する、短波受信機が受信し、早期に救助する事が出来る。【選択図】図１
2008259866.tif 000002
【特許請求の範囲】
【請求項１】
肩から反対側の脇の下に斜めに回し着脱金具で、装着する１本の主ベルトと分岐結合する金具で連結した、補助ベルトを、其の脇の下より肩の部分に回しフックで着脱する事が出来る、肩の部分の結合金具の、１端に結合する部分に吊り下がり、ロ−プを金具により連結、交換可能な、ゴムロ−プを適度な長さで、装着、金具で連結し、其の先に従来の、ロ−プを金具で連結し先端に取り付けた、吊り下げ鉤フックを装着し、肩の部分に付けた紐に連結のロ−プが、落下事故の際に衝撃を弱め、伸張する張力による作用で、電池容器に内蔵した短波発信機を作動する、スイッチ板が引き抜け通電し、自動的に短波を発信、赤色警告灯等を作動する事で、落下事故の際に自動的に短波発信機が作動して地上の監視員、作業現場事務所の担当者が所持する、短波受信機が受信、救出する事が出来る、更に、肩から反対側の脇の下に回し装着の、主ベルトを脇の下の部分に、装着金具を付け、交換可能なゴムロ−プを、フックで取り付けて衝撃を弱める適度な長さで装着し、其の先に従来の、ロ−プを金具で連結し、作業工具入れベルトに取り付けた、フックで、体に引寄せ、上股部の付け根に装着用ベルトを巻き付け、止め金具で装着する、ベルトを使用し、落下の際の脇の下に掛る衝撃を弱める事が出来、安全性が増加する、多機能安全ベルト。
【発明の詳細な説明】
【技術分野】
【０００１】  本発明は、従来の安全ベルトを、多機能化した、ものに関するものです。
【背景技術】
【０００２】  本発明は、高所作業を行なう際に、作業者が身体に装着して落下を防止する安全ベルトに関し、落下事故が発生した場合に、ゴムロ−プに作用する張力で作動する、電池容器に内蔵する、短波発信機の、通電遮断スイッチ板が抜け、自動的に、短波発信機、赤色警告灯等が作動し、地上の監視員、現場事務所の担当者が所持する短波受信機が受信し、危険を報せ早く救出する事が出来る。
【発明の開示】
【発明が解決しようとする課題】
【０００３】高所作業を行なう際、腰に装着したベルトと、建造物との間を強固なロープで結合しながら作業を行なっています。【０００４】従来の安全ベルトは、腰に締めるベルトと、一端がこの、ベルトに結合され他端に、鉤フックを取り付けた、ロープに依って、構成されています。
【発明が解決するための手段】
【０００５】この様な、従来の安全ベルトは、ベルトを腰に締めて、作業をする作業工具入袋の、装着ベルトの、２つのベルトを重複して締める事に成り、作業性が悪くなる、作業者が落下した場合、腰骨に衝撃を受け宙吊りと成った場合ベルトが腹部に移動し腹部を圧迫し、耐えられない苦痛を受け、更にに頭部を下向きに宙吊りに成り失神する事が有り、この様な場合作業者自身救助を求められないこの様な安全ベルトが有する、課題を解決するために、考えたものでです。
【０００６】本発明は、上述の様な課題を解決するため、肩から反対側の、脇の下に斜めに回す、１本の主ベルトと肩の部分で分岐結合した、補助ベルトを其の脇の下を回し連結してフックにより連結し、主ベルトの肩の部分に、交換可能な、ゴムロ−プを、適度な長さで装着して、連結金具により連結して、其の先に従来のロ−プを金具で連結し先端に、吊り下げ鉤フックを装着、ゴムロ−プに、紐を付け、主ベルトに装着した、乾電池容器に内蔵の、短波発信機の通電遮断板がゴムロ−プに接続した紐により、ゴムロ−プの伸張作用で引っ張られ、通電し自動的に短波発信機が作動し、短波を発信して、地上の監視員、現場事務所の監視員が所持する、短波受信機に受信して、落下事故の際に衝撃を弱め、早く救出する事が出来る、多機能安全ベルト。
【０００７】  この発明の、多機能安全ヘルトは、肩の部分より反対側の脇の下に回し装着する、主ベルトの下の部分に、金具で連結し交換可能な、ゴムロ−プを適度な長さに装着し、其の先に従来のロ−プを金具で連結し、作業工具入れベルトにフックを取り付け、ロ−プを体に引寄せ、上股部の付け根部分に装着ベルトを回し巻き付けて装着して、落下事故の際の、脇の下に掛る衝撃をゴムロ−プが伸張する事で、更に減少する、多機能安全ベルト。
【発明の効果】
【０００８】  この発明の、多機能安全ベルトは、従来の安全ベルトが有する、落下事故の際に発生する衝撃を吸収する、ゴムベルトの伸張より、紐が引っ張られる事で主ベルトの、肩の部分に装着した、電池入れ容器に内蔵する短波発信機に通電する電流を遮断する、スイッチ板が引き抜かれ、自動的に短波発信機が作動し地上の監視員、現場事務所の担当者が所持する、受信機短波を受信し救出する事が出来る、従来の吊り下がりロ−プの長さを縮小、装着の際の、釣り下がり鉤フックの、ロ−プの垂れ下りを防ぐ、巻取り器具を使用する、必要がない、右利き人は左肩に、主ベルトを装着し、左利きの人は右肩に、主ベルトを装着出来る様に作った、多機能安全ベルトの提供。
【発明を実施するための最良の形態】
【０００９】  本発明の実施の形態は、請求項、１に述べた様に、高所作業を行なう場合、肩先より反対側の脇の下に回して装着する、１本の主ベルト、１を体の前側で金具、２により装着して、その肩先部分の金具、２により連結する補助ベルト３を脇の下に回し、４のフックを使用し、体の前で固定、主ベルトの肩部分の金具に取り付けた、吊り下がり用ロ−プと鉤フック、５の肩先の部分に、交換可能なゴムロ−プ、６を適度な長さで装着し、その先に従来の、ロ−プ、７に連結金具を使用し、連結の部位に、紐、８を取り付け、ゴムロ−プが伸張する作用により、紐が引っ張られ、主ベルトに装着した乾電池容器、９に内蔵した短波発信機、１０に接続した電池の通電遮断、スイッチ板、１１が、落下よりゴムロ−プが伸張して引き抜け通電、短波発信機が自動的に作動、赤色警告灯１２が点滅、地上の監視員、現場事務所の担当者が所持の、短波受信機に受信して、落下宙づりに成った作業者を救出、出来る多機能安全ベルト。【００１０】  この発明の、多機能安全ベルトは、肩の部分より反対側の脇の下に回し装着する、主ベルト、１の下の部分にゴムロ−プの環を装着、従来のロ−プ、７を金具、２により連結し、其の下に交換可能なゴムロ−プ、６を、適度な長さにして装着し、金具、２で連結し、従来のロ−プを取り付け、腰道具を装着するベルト、に、フック、４を取り付け、フック、１６で体に引寄せ、上股部付け根に巻き付け装着する装着用ベルト、１３に連結する従来のロ−プ１４を使用し、脇の下に掛る落下の衝撃を、交換可能なゴムロ−プ、１５の伸張で、減少し、腰道具ベルトのフック、１６により引寄使用する多機能安全ベルト。
【実施例】
【産業上利用の可能性】
【００１１】  本発明の、多機能安全ベルトを使用する事で、従来の安全ベルトが有する、課題を解決し、釣り下下がりロ−プの巻取り器具の必要がない、落下事故の際腰椎を損傷する事がなく、苦しい姿勢で吊り下がる事もない、自動的に、短波発信機で、地上の監視員の所持する、短波受信機に受信し、速やかに救出する事が、出来る、多機能安全ベルトの提供。
【図面の簡単な説明】
【００１２】
【図１】多機能安全ベルトの実施の形態を示す斜視図、
【図２】人体装着した状態を示す正面図及び背面図、
【図３】電池容器と内蔵する短波発信機形態を示す断面図、
【図４】腰道具を装着するベルトとに付けた金輪とフック、
【符号の説明】
【００１３】１    １本の主ベルト、
２    装着金具、
３    補助ベルト、
４    フック、
５    釣り下がり鉤ロ−プと鉤フック、
６    交換可能なゴムロ−プ、
７    従来のロ−プ、
８    ゴムロ−プの伸張で引っ張られる紐、
９    乾電池容器とバネ及び赤色警告灯、
１０  上下の乾電池に連結通電し容器の下に重なった短波発信機、
１１  紐により引き抜かれるスイッチ板、
１２  主ベルトに装着する紐と容器の環、
１３  大股部に巻き付け装着するベルト、
１４  腰道具を装着するベルト、
１５  大股部の付け根に巻き付ける装着用ベルト、
１６  大股部の装着用ベルトに連結する従来のロ−プ、
１７  脇の下に連結する交換可能なゴムロ−プ、
１８  腰道具装着ベルト設置したロ−プを体に引寄せるフック、
【参考文献】
【００１４】本発明出願以前に、特許願、安全ベルト、２件を出願しています、
［整理番号］      ＯＺ０７０１  発明の名称  安全ベルト
［提出日］        平成７８年月１０日
［国際特許分類］  Ａ６２Ｂ    ３５／００
［整理番号］      ＯＺ０００１９１  発明の名称  安全ベルト
［提出日］        平成９年４月８日
［出願番号］      特願平９−１２４６２７  特開平１０−２７７１７２
以上の出願は審査請求していません、
【図１】
2008259866.tif 000003
【図２】
2008259866.tif 000004
【図３】
2008259866.tif 000005
【図４】
2008259866.tif 000006